(57)【要約】【課題】シングルカラーまたは２色カラーの画像データプレビュー表示する際、プレビュー表示される画像の色と実際に印刷される画像の色との差を小さくして、違和感のないプレビュー表示ができる画像処理装置を提供する。【解決手段】画像表示装置１０４に供給される単色画像データまたは２色画像データに対して、画像出力装置１０３にて出力されるシングルカラーまたは２色カラーの画像の色との差が小さくなる色補正処理を施す色補正部１３を、備えている。【選択図】図４
2010056798.tif 000002
【特許請求の範囲】
【請求項１】
画像データを単色の単色画像データに変換する色変換部を有し、
上記単色画像データを、画像印刷を実行する印刷装置に対して供給すると共に、
上記単色画像データを、プレビュー表示するため画像表示装置に供給する画像処理装置であって、
上記画像表示装置に供給される上記単色画像データに対して、上記画像表示装置にて出力される画像の色と上記印刷装置にて出力される画像の色との差が小さくなる色補正処理を施す色補正部を備えることを特徴とする画像処理装置。
【請求項２】
入力画像データを２色の２色画像データに変換する色変換部を有し、
上記２色画像データを、画像印刷を実行する印刷装置に対して供給すると共に、
上記２色画像データを、プレビュー表示するため画像表示装置に供給する画像処理装置であって、
上記画像表示装置に供給される上記２色画像データに対して、上記画像表示装置にて出力される画像の色と上記印刷装置にて出力される画像の色との差が小さくなる色補正処理を施す色補正部を備えることを特徴とする画像処理装置。
【請求項３】
上記画像表示装置は、ＲＧＢの画像データを表示し、
上記色変換部は、ＲＧＢの画像データをＣＭＹの画像データに変換し、
上記色補正部は、上記ＣＭＹの画像データを、当該画像処理装置の特性および上記画像表示装置の特性を基に、ＲＧＢの画像データに変換することを特徴とする請求項１または２に記載の画像処理装置。
【請求項４】
画像データを単色の画像処理データに変換する第１色変換部と、
画像データを２色の画像処理データに変換する第２色変換部と、を備え、
上記画像処理データを、画像印刷を実行する印刷装置に対して供給すると共に、
上記画像処理データを、プレビュー表示するため画像表示装置に供給する画像処理装置であって、
上記画像表示装置に供給される上記画像処理データに対して、上記画像表示装置にて出力される画像の色と上記印刷装置にて出力される画像の色との差が小さくなる色補正処理を施す色補正部を備えることを特徴とする画像処理装置。
【請求項５】
上記画像表示装置は、ＲＧＢの画像データを表示し、
上記第１および第２色変換部は、ＲＧＢの画像データをＣＭＹの画像データに変換し、
上記色補正部は、上記ＣＭＹの画像データを、当該画像処理装置の特性および上記画像表示装置の特性を基に、ＲＧＢの画像データに変換することを特徴とする請求項４に記載の画像処理装置。
【請求項６】
上記印刷装置に供給される３色以上の画像データに色補正を施す色補正処理部を備え、
上記色補正処理部は、上記色補正部として兼用されることを特徴とする請求項１から５の何れか１項に記載の画像処理装置。
【請求項７】
請求項１から６の何れか１項に記載の画像処理装置と、印刷装置と、プレビュー表示を行う画像表示装置と、を備えることを特徴とする画像形成装置。
【請求項８】
画像データを単色の単色画像データに変換するステップと、
上記単色画像データを、画像印刷を実行する印刷装置に対して供給するステップと、
上記単色画像データを、プレビュー表示するため画像表示装置に供給するステップと、を含む画像処理方法であって、
上記画像表示装置に供給される上記単色画像データに対して、上記画像表示装置にて出力される画像の色と上記印刷装置にて出力される画像の色との差が小さくなる色補正処理を施す色補ステップを含むことを特徴とする画像処理方法。
【請求項９】
入力画像データを２色の２色画像データに変換する色変換ステップと、
上記２色画像データを、画像印刷を実行する印刷装置に対して供給するステップと、
上記２色画像データを、プレビュー表示するため画像表示装置に供給するステップと、を含む画像処理方法であって、
上記画像表示装置に供給される上記２色画像データに対して、上記画像表示装置にて出力される画像の色と上記印刷装置にて出力される画像の色との差が小さくなる色補正処理を施す色補正ステップを含むことを特徴とする画像処理方法。
【請求項１０】
画像データを単色の画像処理データに変換する、あるいは、画像データを２色の画像処理データに変換するステップと、
上記画像処理データを、画像印刷を実行する印刷装置に対して供給するステップと、
上記画像処理データを、プレビュー表示するため画像表示装置に供給するステップと、を含む画像処理方法であって、
上記画像表示装置に供給される上記画像処理データに対して、上記画像表示装置にて出力される画像の色と上記印刷装置にて出力される画像の色との差が小さくなる色補正処理を施す色補正ステップを含むことを特徴とする画像処理方法。
【請求項１１】
請求項１から６の何れか１項に記載の画像処理装置を動作させるプログラムであって、コンピュータを上記画像処理装置の各部として機能させるための画像処理プログラム。
【請求項１２】
請求項１１に記載の画像処理プログラムが記録されたコンピュータ読み取り可能な記録媒体。
【発明の詳細な説明】
【技術分野】
【０００１】
本発明は、入力画像データのサムネイルやプレビューの表示を行う画像処理装置、画像形成装置、画像処理方法、画像処理プログラム及びコンピュータ読み取り可能な記録媒体に関するものである。
【背景技術】
【０００２】
複写機や複合機などの画像形成装置には、原稿の種類や設定条件（印刷濃度、変倍処理の倍率、片面印刷あるいは両面印刷、余白サイズ等）に応じて処理された後の画像データに基づいて、印刷対象の画像を１枚ずつ、あるいは複数枚を合成してプレビュー表示する装置がある。
【０００３】
このようなプレビュー表示に関して、例えば、特許文献１には、１色のみで構成されるモノカラー画像（書類などの白黒画像あるいはチラシなどの単一色で構成されるモノカラー画像）を複写するモノカラーモードと、少なくとも２色以上で構成されるフルカラー画像を複写するモードを備え、モノカラーモードおよびフルカラーモードで複写される画像を、用紙に記録する前に、表示装置にプレビューすることが記載されている。
【０００４】
また、例えば、特許文献２には、プレビューを行う際、画像データにエッジ強調を施さないでプレビュー画像を生成する技術が開示されている。特許文献２では、スキャナにより読み込まれたＲＧＢ輝度信号を対数変換回路によってＣＭＹ濃度信号に変換し、変換されたＣＭＹ濃度信号を、プリンタの特性に色を合わせるマスキング・ＵＣＲ回路を通して処理を行い、トリミング、ペイント、変倍等種々の画像編集を行う回路、印刷写真原稿に対してスムージング処理を行う空間フィルタ回路による処理を行った後、マスキング・ＵＣＲ回路の逆変換を実現する逆マスキング回路、ＣＭＹ濃度信号をＲＧＢ輝度信号に戻す逆対数変換回路、ＲＧＢ画像信号をスキャナの色空間から表示装置の色空間へ変換する３×３マトリックス変換回路、表示装置の非直線性を補正するガンマ補正回路で処理を行って画像データを表示装置にプレビュー表示することが記載されている。
【特許文献１】特開２００１−２２２１４５号公報（公開日：２００１年８月１７日）
【特許文献２】特開平９−１３５３１６号公報（公開日：１９９７年５月２０日）
【発明の開示】
【発明が解決しようとする課題】
【０００５】
上記特許文献１には、モノカラーの画像をプレビューすることが記載されているが、モノカラーの画像データを表示装置に表示する際の補正処理に関して記載されていない。そのため、印刷される画像と表示装置に表示される画像の色が合わないといったことが起こる。また、上記特許文献２には、読み込まれた画像データをシングルカラー、２色カラーで表示することに関する記載はないが、シングルカラーや２色カラーでプレビュー表示を行った場合下記の問題がある。一つ目の問題は、マスキング・ＵＣＲ回路として、２次の項を考慮した４×８のマトリクス演算によりＣＭＹＫ信号を生成し、逆マスキング回路において、３×４のマトリクス演算により逆変換を行うことが記載されているが、上記の方法では色差が大きくなる。よって、印刷される画像と表示装置に表示される画像の色が合わないといったことが起こることである。二つ目の問題は、印刷処理用の画像処理回路とは別に、プレビュー用の画像処理回路として、逆マスキング回路、逆対数変換回路、３×３マトリクス変換回路を設けているので、回路規模が大きくなることである。
【０００６】
以上のように従来の技術では、シングルカラーや２色カラーで印刷する際、プレビュー表示する画像の色と実際に印刷される画像の色とに隔たりがあり、また、回路規模が大きくなるという問題がある。
【０００７】
本発明は、上記の問題点に鑑みてなされたものであり、その目的は、シングルカラーまたは２色カラーの画像をプレビュー表示する際、プレビュー表示される画像の色と実際に印刷される画像の色との差を小さくして、違和感のないプレビュー表示を行える画像処理装置等を提供することにある。
【課題を解決するための手段】
【０００８】
本発明に係る画像処理装置は、上記課題を解決するために、画像データを単色の単色画像データに変換する色変換部を有し、上記単色画像データを、画像印刷を実行する印刷装置に対して供給すると共に、上記単色画像データを、プレビュー表示するため画像表示装置に供給する画像処理装置であって、上記画像表示装置に供給される上記単色画像データに対して、上記画像表示装置にて出力される画像の色と上記印刷装置にて出力される画像の色との差が小さくなる色補正処理を施す色補正部を、備えることを特徴としている。
【０００９】
上記構成によると、単色画像データを印刷装置に供給することで単色画像を印刷でき、単色画像データを画像表示装置に供給することで単色画像をプレビュー表示できる。ここで、画像表示装置に供給する単色画像データに対しては、画像表示装置にて出力される画像の色と上記印刷装置にて出力される画像の色との差が小さくなる色補正処理を施す。よって、単色画像をプレビュー表示する際、プレビュー表示される画像の色と実際に印刷される画像の色との差を小さくして、違和感のないプレビュー表示を行うことができる。
【００１０】
本発明に係る画像処理装置は、上記課題を解決するために、入力画像データを２色の２色画像データに変換する色変換部を有し、上記２色画像データを、画像印刷を実行する印刷装置に対して供給すると共に、上記２色画像データを、プレビュー表示するため画像表示装置に供給する画像処理装置であって、上記画像表示装置に供給される上記２色画像データに対して、上記画像表示装置にて出力される画像の色と上記印刷装置にて出力される画像の色との差が小さくなる色補正処理を施す色補正部を、備えることを特徴としている。
【００１１】
上記構成によると、２色画像データを印刷装置に供給することで２色画像を印刷でき、２色画像データを画像表示装置に供給することで２色画像をプレビュー表示できる。ここで、画像表示装置に供給する２色画像データに対しては、画像表示装置にて出力される画像の色と上記印刷装置にて出力される画像の色との差が小さくなる色補正処理を施す。よって、２色画像をプレビュー表示する際、プレビュー表示される画像の色と実際に印刷される画像の色との差を小さくして、違和感のないプレビュー表示を行うことができる。
【００１２】
本発明に係る画像処理装置では、上記構成に加え、上記画像表示装置は、ＲＧＢの画像データを表示し、上記色変換部は、ＲＧＢの画像データをＣＭＹの画像データに変換し、上記色補正部は、上記ＣＭＹの画像データを、当該画像処理装置の特性および上記画像表示装置の特性を基に、ＲＧＢの画像データに変換してもよい。
【００１３】
上記構成によると、画像処理装置の特性および画像表示装置の特性を基に画像表示装置でプレビュー表示される画像に対して色補正処理が施され、印刷される画像の色との差を小さくして、違和感のないプレビュー表示を行うことができる。
【００１４】
本発明に係る画像処理装置は、上記課題を解決するために、画像データを単色の画像処理データに変換する第１色変換部と、画像データを２色の画像処理データに変換する第２色変換部と、を備え、上記画像処理データを、画像印刷を実行する印刷装置に対して供給すると共に、上記画像処理データを、プレビュー表示するため画像表示装置に供給する画像処理装置であって、上記画像表示装置に供給される上記画像処理データに対して、上記画像表示装置にて出力される画像の色と上記印刷装置にて出力される画像の色との差が小さくなる色補正処理を施す色補正部を備えることを特徴している。
【００１５】
上記構成によると、単色の画像処理データまたは２色の画像処理データを印刷装置に供給することで、単色の画像または２色の画像を印刷でき、単色の画像処理データまたは２色の画像処理データを画像表示装置に供給することで、単色または２色の画像をプレビュー表示できる。ここで、画像表示装置に供給する単色の画像処理データまたは２色の画像処理データに対しては、画像表示装置にて出力される画像の色と上記印刷装置にて出力される画像の色との差が小さくなる色補正処理を施す。よって、単色の画像または２色の画像をプレビュー表示する際、プレビュー表示される画像の色と実際に印刷される画像の色との差を小さくして、違和感のないプレビュー表示を行うことができる。
【００１６】
本発明に係る画像処理装置では、上記構成に加え上記画像表示装置は、ＲＧＢの画像データを表示し、上記第１および第２色変換部は、ＲＧＢの画像データをＣＭＹの画像データに変換し、上記色補正部は、上記ＣＭＹの画像データを、当該画像処理装置の特性および上記画像表示装置の特性を基に、ＲＧＢの画像データに変換してもよい。
【００１７】
上記構成によると、画像処理装置の特性および画像表示装置の特性を基に画像表示装置でプレビュー表示される画像に対して色補正処理が施され、印刷される画像の色との差を小さくして、違和感のないプレビュー表示を行うことができる。
【００１８】
本発明に係る画像処理装置は、上記印刷装置に供給される３色以上の画像データに色補正を施す色補正処理部を備え、上記色補正処理部は、上記色補正部として兼用されてもよい。上記構成によると、画像処理装置に従来から備えられた色補正処理部を、色補正部として兼用することで、画像表示装置に供給される画像データ（単色画像データ、２色画像データ）の色補正処理を行う新たな回路は必要なく、装置の回路規模が大型化するのを抑制することができる。
【００１９】
本発明に係る画像形成装置は、上記課題を解決するために、上記何れかに記載の画像処理装置と、印刷装置と、プレビュー表示を行う画像表示装置と、を備えることを特徴としている。上記構成によると、画像を単色あるいは２色で印刷された画像データの色と、画像表示装置にプレビュー表示される画像データとの色の差を小さくすることができる画像形成装置を提供することができる。
【００２０】
本発明に係る画像処理方法は、上記課題を解決するために、画像データを単色の単色画像データに変換するステップと、上記単色画像データを、画像印刷を実行する印刷装置に対して供給すると共に、上記単色画像データを、プレビュー表示するため画像表示装置に供給するステップとを含む画像処理方法であって、上記画像表示装置に供給される上記単色画像データに対して、上記画像表示装置にて出力される画像の色と上記印刷装置にて出力される画像の色との差が小さくなる色補正処理を施す色補正ステップを含むことを特徴としている。
【００２１】
上記方法によると、上記画像処理装置と同様の効果を奏し、単色画像をプレビュー表示する際、プレビュー表示される画像の色と実際に印刷される画像の色との差を小さくして、違和感のないプレビュー表示を行うことができる。
【００２２】
本発明に係る画像処理方法は、上記課題を解決するために、入力画像データを２色の２色画像データに変換する色変換ステップと、上記２色画像データを、画像印刷を実行する印刷装置に対して供給すると共に、上記２色画像データを、プレビュー表示するため画像表示装置に供給するステップとを含む画像処理方法であって、上記画像表示装置に供給される上記２色画像データに対して、上記画像表示装置にて出力される画像の色と上記印刷装置にて出力される画像の色との差が小さくなる色補正処理を施す色補正ステップを含むことを特徴としている。
【００２３】
上記方法によると、上記画像処理装置と同様の効果を奏し、２色画像をプレビュー表示する際、プレビュー表示される画像の色と実際に印刷される画像の色との差を小さくして、違和感のないプレビュー表示を行うことができる。
【００２４】
本発明に係る画像処理方法は、画像データを単色の画像処理データに変換する、あるいは、画像データを２色の画像処理データに変換するステップと、上記画像処理データを、画像印刷を実行する印刷装置に対して供給するステップと、上記画像処理データを、プレビュー表示するため画像表示装置に供給するステップと、を含む画像処理方法であって、上記画像表示装置に供給される上記画像処理データに対して、上記画像表示装置にて出力される画像の色と上記印刷装置にて出力される画像の色との差が小さくなる色補正処理を施す色補正ステップを含むことを特徴としている。
【００２５】
上記方法によると、上記画像処理装置と同様の効果を奏し、単色画像あるいは２色画像をプレビュー表示する際、プレビュー表示される画像の色と実際に印刷される画像の色との差を小さくして、違和感のないプレビュー表示を行うことができる。
【００２６】
また、本発明に係る画像処理装置は、コンピュータによって実現してもよく、この場合には、コンピュータを上記画像処理装置における上記各部として動作させることにより上記画像処理装置をコンピュータにて実現させる画像処理プログラム、及びその画像処理プログラムを記録したコンピュータ読み取り可能な記録媒体も、本発明の範疇に入る。
【００２７】
これらの構成によれば、上記画像処理プログラムを、コンピュータに読み取り実行させることによって、上記画像処理装置と同一の作用効果を実現することができる。
【発明の効果】
【００２８】
本発明に係る画像処理装置は、以上のように、上記画像表示装置に供給される上記単色画像データに対して、上記画像表示装置にて出力される画像の色と上記印刷装置にて出力される画像の色との差が小さくなる色補正処理を施す色補正部を、備えている。
【００２９】
また、本発明に係る画像処理装置は、以上のように、上記画像表示装置に供給される上記２色画像データに対して、上記画像表示装置にて出力される画像の色と上記印刷装置にて出力される画像の色との差が小さくなる色補正処理を施す色補正部を、備えている。
【００３０】
また、本発明に係る画像処理装置は、以上のように、上記画像表示装置に供給される上記画像処理データに対して、上記画像表示装置にて出力される画像の色と上記印刷装置にて出力される画像の色との差が小さくなる色補正処理を施す色補正部、を備えている。
【００３１】
本発明の画像処理装置では、単色画像データまたは２色画像データを印刷装置に供給することで、単色画像または２色画像を印刷でき、単色画像データまたは２色画像データを画像表示装置に供給することで、単色画像または２色画像をプレビュー表示できる。ここで、画像表示装置に供給する単色画像データまたは２色画像データに対しては、上記画像表示装置にて出力される画像の色と上記印刷装置にて出力される画像の色との差が小さくなる色補正処理を施す。よって、単色画像または２色画像をプレビュー表示する際、プレビュー表示される画像の色と実際に印刷される画像の色との差を小さくして、違和感のないプレビュー表示を行うことができる。
【発明を実施するための最良の形態】
【００３２】
〔実施の形態１〕
本発明の画像形成装置の一形態について図に基づいて説明する。図１は、本実施形態の画像形成装置１００の概略構成を示すブロック図である。
【００３３】
本実施形態の画像形成装置１００は、コピアモード・プリントモード・ファクシミリ送信モード・ファクシミリ受信モード・イメージ送信モードの中からいずれかのモードが選択されると、選択されたモードを実行するデジタルカラー複合機である。
【００３４】
コピアモード（複写モード）とは、画像データを読み込み（原稿を読み取って画像データを生成し）、この画像データの画像を用紙に印刷するモードを意味する。また、プリントモードとは、画像形成装置１００に接続されている端末装置から送られてくる画像データの画像を用紙に印刷するモードを意味する。ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データの画像を用紙に印刷するモードを意味する。イメージ送信モードとは、（１）原稿を読み取って生成した画像データを電子メールに添付して指定されたアドレスへ送信するモード（scan to e-mailモード）、（２）原稿を読み取って生成した画像データをユーザにより指定されたフォルダに送信するモード（scan to ftpモード）、（３）原稿を読み取って生成した画像データを画像形成装置１００に装着されたＵＳＢメモリなどに送信するモード（scan to usbモード）を意味する。なお、本実施形態においては、画像処理の動作上から、ファクシミリ送信モードとイメージ送信モードとを上記のように分類している。
【００３５】
また、コピアモード・プリントモードが選択されている場合、利用者は、白黒画像を出力する白黒モード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかを選択できるようになっている。
【００３６】
例えば、コピアモードまたはプリントモードにおいて、利用者がシングルカラーモードを選択した場合、上記単色画像が印刷されることになる。また、コピアモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【００３７】
また、本実施形態では、コピアモードにおいて、自動判別モードを設定することが可能である。この自動判別モードが設定されている場合、画像形成装置１００は、複写対象がカラー原稿か白黒原稿であるかを判別する自動カラー判別処理（ＡＣＳ）を行い、カラー原稿と判別される場合は上記のフルカラーモードで出力処理を行い、白黒原稿と判別される場合は上記の白黒モードで出力処理を行うようになっている。
【００３８】
画像形成装置１００は、図１に示されるように、画像入力装置１０１、画像処理装置１０２、画像出力装置１０３、画像表示装置１０４、受信装置１０５、送信装置１０６、記憶装置１０７、制御部１０８を有している。
【００３９】
画像入力装置１０１は、コピアモード、ファクシミリ送信モード、イメージ送信モードにおいて、原稿を読み取り画像データを生成する画像読取手段である。より具体的に説明すると、画像入力装置１０１は、ＣＣＤ（Charge Coupled Device）を備えたスキャナ部を有し、原稿から反射してきた光を、ＲＧＢに色分解された電気信号（アナログの画像信号）に変換し、この電気信号を画像処理装置１０２に入力するものである。
【００４０】
なお、画像入力装置１０１は、上記のフルカラーモード，シングルカラーモード，２色カラーモードのいずれのモードが選択されている場合であっても、フルカラーにて原稿画像の読み取りを行う。また、画像入力装置１０１は、画像処理装置１０２において前述した自動カラー判別処理が行われる場合であってもフルカラーにて原稿画像の読み取りを行う。
【００４１】
画像処理装置１０２は、画像データ（画像信号）に対して画像処理を施す集積回路であり、ＡＳＩＣ（Application specific integrated circuit）から構成されるものである。この画像処理装置１０２は、図１に示すように、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成／下色除去部１４、空間フィルタ部１５、変倍部１６、出力階調補正部１７、中間調生成部１８の各ブロックを有している。画像処理装置１０２に含まれる各ブロックの処理内容については後で詳述する。
【００４２】
なお、画像処理装置１０２は、コピアモード、ファクシミリ送信モード、イメージ送信モードにおいて、画像入力装置１０１から送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２は、コピアモード、プリントモード、ファクシミリ受信モードにおいて、画像処理を施した画像データを画像出力装置１０３に送信し、ファクシミリ送信モードにおいて、画像処理を施した画像データを送信装置１０６に送信するようになっている。また、画像処理装置１０２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【００４３】
画像出力装置（プリンタ）１０３は、画像処理装置１０２から送られてきた画像データの画像を記録媒体（例えば紙等）上に印刷（形成）するものであり、例えば、電子写真方式またはインクジェット方式を用いたカラープリンタを挙げることができる。なお、本実施形態においての「印刷」とは、プリントモードにおける印刷、コピアモードでの印刷、ファクシミリ受信モードでの印刷のいずれかを意味する。
【００４４】
画像表示装置１０４は、画像形成装置１００の操作パネル（不図示）に備えられている液晶ディスプレイであり、カラー画像の表示が可能な表示手段である。また、画像表示装置１０４は、タッチパネルに覆われており、画像形成装置１００の入力インターフェイスとしての機能を有している。つまり、画像表示装置１０４には、画像形成装置１００に対して各種コマンドの入力を行うためのＧＵＩ（グラフィカルユーザインターフェイス）や操作ガイドが表示される。
【００４５】
また、本実施形態の画像形成装置１００では、コピアモードまたはファクシミリ受信モードにおいて、印刷実行前に、印刷対象となる画像のプレビューを画像表示装置１０４に表示することが可能になっている。さらに、本実施形態の画像形成装置１００では、ファクシミリ送信モードまたはイメージ送信モードにおける送信実行前において、送信対象となる画像のプレビューを画像表示装置１０４に表示することが可能になっている。
【００４６】
また、コピアモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【００４７】
なお、画像表示装置１０４は、液晶ディスプレイに限定されるものではなく、液晶ディスプレイ以外の表示手段（例えば、有機ＥＬディスプレイ、プラズマディスプレイ等）であってもよい。
【００４８】
受信装置１０５は、電話回線またはインターネットに接続しており、ファクシミリ通信によって外部装置から画像データを受信する装置である。また、送信装置１０６は、電話回線またはインターネットに接続しており、画像入力装置１０１にて入力された画像データをファクシミリ通信によって外部装置へ送信する装置である。
【００４９】
記憶装置１０７は、画像処理装置１０２にて扱われる画像データを一旦保存するためのハードディスクである。
【００５０】
制御部１０８は、ＣＰＵ（Central Processing Unit）あるいはＤＳＰ（Digital Signal Processor）等のプロセッサを含むコンピュータであり、画像形成装置１００に備えられる各種ハードウェアを統括的に制御するものである。また、制御部１０８は、画像形成装置１００に備えられる各ハードウェア間のデータ転送を制御する機能も有する。
【００５１】
つぎに、コピアモード、ファクシミリ送信モード、ファクシミリ受信モード、イメージ送信モードの各モードにおいて、画像処理装置１０２の各ブロックにて実行される処理の内容を詳細に説明する。なお、本実施形態の画像処理装置１０２には、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。また、画像処理装置１０２には、選択されているモードに応じて処理内容を変更するブロックも存在する。さらに、画像処理装置１０２には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、画像処理装置１０２に含まれる各ブロックにて実行される処理の内容について、モード別に説明すると共に、印刷処理時（または送信処理時）とプレビュー表示時とで分けて説明する。
【００５２】
（１）コピアモード
（１−１）印刷処理時（画像印刷ジョブ時）
以下では、図１に基づいて画像処理装置１０２について説明するが、図１はコピアモード且つフルカラーモードにて印刷処理を行う際の画像処理装置１０２内の画像データの流れを示したものである事を述べておく。
【００５３】
Ａ／Ｄ（アナログ／デジタル）変換部２は、画像入力装置１０１から送られてきたカラー画像信号（ＲＧＢアナログ信号）をデジタルの画像データ（ＲＧＢデジタル信号）に変換するブロックである。シェーディング補正部３は、Ａ／Ｄ変換部２から送られてきた画像データに対して、画像入力装置１０１の照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【００５４】
原稿種別自動判別部５は、入力処理部４にてγ補正等の処理がなされたＲＧＢの画像データ（ＲＧＢの濃度信号）に基づき、画像入力装置１０１にて読み取られた原稿の種別の判定を行う。ここで、判定される原稿の種別としては、文字原稿、印刷写真原稿、文字と印刷写真とが混在した文字印刷写真原稿等がある。また、原稿種別自動判別部５は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部５から出力されるＲＧＢの画像データは、領域分離処理部６および圧縮部７に入力するようになっている。
【００５５】
領域分離処理部６は、原稿種別自動判別部５から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【００５６】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【００５７】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて行われる。
【００５８】
制御部１０８は、圧縮部７から出力された符号化コード（符号化された画像データ）と領域分離信号圧縮部８から出力された領域分離信号コード（圧縮された領域分離信号）とを一旦記憶装置１０７に保存し、ファイリングデータとして管理する。そして、制御部１０８は、コピー出力動作が指示された場合、記憶装置１０７から上記の符号化コードおよび当該符号化コードに対応する領域分離信号コードを読み出し、復号部９、領域分離信号復号部１０にそれぞれ引き渡す。
【００５９】
なお、制御部１０８は、上記符号化コードの保存アドレスまたはデータ名と、領域分離信号コードの保存アドレスとを対応付けて管理テーブルに記入する。つまり、制御部１０８は、当該管理テーブルを用いて、符号化コードおよび領域分離信号コードの読み出しまたは書き込みの制御を行っている。
【００６０】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成／下色除去部１４、空間フィルタ部１５、中間調生成部１８に引き渡される。そして、黒生成／下色除去部１４、空間フィルタ部１５、中間調生成部１８においては、画像領域の種類に応じて画像処理内容の切替えが行われる。
【００６１】
画質調整部１１は、復号部９から送られてくるＲＧＢの画像データについて、下地の検出を行って下地除去補正を行う。さらに、画質調整部１１は、ユーザによって操作パネル（不図示）から入力される設定情報に基づいて、ＲＧＢのバランス（カラー調整、赤み青みといった全体のカラー調整）、明るさ、鮮やかさの調整を行う。
【００６２】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【００６３】
【数１】
2010056798.tif 000003
【００６４】
【表１】
2010056798.tif 000004
【００６５】
つまり、フルカラーモードの場合の画質調整部１１からの出力は、図１に示されるように、ＲＧＢの画像データとなるところ、シングルカラーモードが選択されている場合の画質調整部１１からの出力は、図２（ａ）に示されるように、ＣＭＹの画像データとなる。なお、２色カラーモードが選択されている場合の画質調整部１１からの出力は、図２（ｂ）に示されるように、ＲＧＢの画像データとなる。なお、図２（ａ）は、コピアモード且つシングルカラーモードにて印刷処理が行われる際の画像処理装置１０２の一部のブロックを示したものであり、図２（ｂ）は、コピアモード且つ２色カラーモードにて印刷処理が行われる際の画像処理装置１０２の一部のブロックを示したものである。
【００６６】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部１１）で行われるのである。
【００６７】
２色化処理部１２は、２色カラーモードが選択されている場合、図２（ｂ）に示すように、画質調整部１１から出力されたＲＧＢの画像データをＣＭＹの画像データに変換する処理を行うブロックである。なお、２色カラーモードにおいてのＲＧＢの画像データからＣＭＹの画像データへの変換処理は、例えば、特開２００７−２８３３６号公報に記載されている〔実施例１〕または〔実施例２〕の手法にて実現できる。
【００６８】
また、２色化処理部１２は、フルカラーモードが選択されている場合、図１に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードが選択されている場合、図２（ａ）に示すように、画質調整部１１から出力されたＣＭＹの画像データに対して何も処理を行わず、当該画像データをそのまま色補正部１３へ引き渡す（スルーする）。
【００６９】
色補正部１３は、フルカラーモードが選択されている場合、２色化処理部１２から出力されるＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【００７０】
また、色補正部１３は、シングルカラーモードまたは２色カラーモードが選択されている場合、図２（ａ）（ｂ）に示されるように、２色化処理部１２から出力されたＣＭＹの画像データに対して何も処理を行わず、当該画像データをそのまま黒生成／下色除去部１４へ引き渡す（スルーする）。
【００７１】
黒生成／下色除去部１４は、フルカラーモードまたは２色カラーモードが選択されている場合、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図１および図２（ｂ）に示されるように、ＣＭＹの画像データは黒生成／下色除去部１４によってＣＭＹＫの４色の画像データに変換される。
【００７２】
また、黒生成／下色除去部１４は、シングルカラーモードが選択されている場合、図２（ａ）に示されるように、色補正部１３から出力されたＣＭＹの画像データに対して何も処理を行わず、当該画像データをそのまま後段の空間フィルタ部１５へ引き渡す（スルーする）。
【００７３】
なお、フルカラーモードまたは２色カラーモードが選択されている場合、黒生成／下色除去部１４の出力、および、黒生成／下色除去部１４よりも後段の各ブロックの入出力は、図１のように、ＣＭＹＫの画像データとなる。しかし、シングルカラーモードが選択されている場合、黒生成／下色除去部１４の出力、および、黒生成／下色除去部１４よりも後段の各ブロックの入出力は、図１とは異なり、ＣＭＹの画像データとなる。
【００７４】
空間フィルタ部１５は、黒生成／下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【００７５】
変倍部１６は、操作パネル（不図示）を介して利用者によって入力される変倍コマンド（印刷画像の倍率を示した情報）に基づいて、画像の拡大や縮小処理を行うブロックである。
【００７６】
出力階調補正部１７は、変倍部１６から出力された画像データに対して、用紙等の記録媒体に出力するための出力γ補正処理を行うブロックである。中間調生成部１８は、誤差拡散法やディザ法を用いて、画像出力装置１０３において画像を印刷するために必要な階調再現処理（中間調生成処理）を実行するものである。
【００７７】
そして、中間調生成部１８から出力されるＣＭＹＫまたはＣＭＹの画像データは画像出力装置１０３に引き渡され、画像出力装置１０３は、当該画像データの画像を記録媒体（例えば紙等）上に印刷する。
【００７８】
（１−２）プレビュー表示時
つぎに、コピアモードにて印刷対象画像のプレビューを表示する場合に画像処理装置１０２の各ブロックにて実行される処理の内容を図３に基づいて説明する。図３は、図１の画像形成装置１００と同じ画像形成装置１００を示すブロック図であり、コピアモード且つフルカラーモードにてプレビュー表示を行う際の画像データの流れを示した図である。
【００７９】
なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、画質調整部１１、２色化処理部１２の処理については、印刷処理時と同じであるため、以下ではその説明を省略する。
【００８０】
領域分離信号復号部１０は、図３に示すように、プレビュー表示時において、復号化した領域分離信号を空間フィルタ部１５および出力階調補正部１７に引き渡す。
【００８１】
色補正部１３は、フルカラーモードにおいて、ＲＧＢの画像データを入力する。なお、ＲＧＢの画像データは、スキャナ（画像入力装置１０１）の色空間に適合しているデータである。そして、色補正部１３は、このＲＧＢの画像データを画像表示装置１０４の色空間に適合するＲ’Ｇ’Ｂ’の画像データへ変換する処理を行う。
【００８２】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【００８３】
そして、本実施形態では、フルカラーモードにおいて、印刷処理時のＲＧＢの画像データからＣＭＹＫの画像データへの変換処理と、プレビュー表示時のＲＧＢの画像データからＲ’Ｇ’Ｂ’ の画像データへの変換処理とについて、画像処理回路を共用している。
【００８４】
ここで、図３は、図１と同様、フルカラーモードが選択されている場合の画像形成装置１００を示したものであり、色補正部１３は、フルカラーモードにおいて、ＲＧＢの画像データを入力するようになっている。しかし、シングルカラーモードまたは２色カラーモードでは、図４（ａ）（ｂ）に示すように、色補正部１３はＣＭＹの画像データを入力するようになっている。なお、図４（ａ）は、コピアモード且つシングルカラーモードにてプレビュー表示処理が行われる際の画像処理装置１０２の一部のブロックを示したものであり、図４（ｂ）は、コピアモード且つ２色カラーモードにてプレビュー表示処理が行われる際の画像処理装置１０２の一部のブロックを示したものである。
【００８５】
そして、色補正部１３は、シングルカラーモードまたは２色カラーモードでは、ＣＭＹの画像データをＲ’Ｇ’Ｂ’の画像データに変換する処理を行う。つまり、色補正部１３は、印刷処理の印刷特性に適合したＣＭＹの画像データを表示装置の表示特性に適合したＲ’Ｇ’Ｂ’の画像データに変換する処理を行っているのである。なお、ＣＭＹの画像データをＲ’Ｇ’Ｂ’の画像データに変換する処理も、入力値（ＣＭＹ）と出力値（Ｒ’Ｇ’Ｂ’）とを対応付けたＬＵＴを作成し、作成したＬＵＴから出力値をルックアップすることによって実現される。
【００８６】
黒生成／下色除去部１４は、図３および図４に示すように、シングルカラーモード，２色カラーモード，フルカラーモードのいずれのモードであっても、色補正部１３から出力されたＲ’Ｇ’Ｂ’の画像データに対して何も処理を行わず、当該画像データをそのまま後段の空間フィルタ部１５へ引き渡す（スルーする）。
【００８７】
空間フィルタ部１５は、黒生成／下色除去部１４より出力されたＲ’Ｇ’Ｂ’の画像データに対して、領域分離信号を基にデジタルフィルタによる空間フィルタ処理（強調処理、平滑化処理等）を行っている。つまり、空間フィルタ部１５では、印刷処理時と同様、領域分離信号に基づいて、画像領域毎に異なる画像処理が実行される。
【００８８】
変倍部１６は、空間フィルタ部１５から出力されたＲ’Ｇ’Ｂ’の画像データからなる画像の画素数を画像表示装置１０４の画素数に変換する間引き処理（画素数を減少する処理）を行う。画像形成装置１００の操作パネルに備えられる画像表示装置１０４は、印刷を行う画像データの解像度と比較すると低解像度であり、通常、極めて小型のディスプレイである。それゆえ、プレビュー表示時においては、画像データを間引く必要がある。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【００８９】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、画像表示装置１０４の表示特性に応じたガンマ曲線が選択され、文字領域に対しては、文字をくっきりと表示させるためのガンマ曲線が選択される。ここで、図５（ａ）は、画像表示装置１０４の表示特性に応じたガンマ曲線である。また、図５（ｂ）の実線で示される曲線は文字をくっきりと表示させるためのガンマ曲線である。なお、図５（ｂ）の破線は、画像表示装置１０４の表示特性に応じたガンマ曲線であり、文字をくっきりと表示させるためのガンマ曲線と比較するために図示したものである。
【００９０】
なお、本実施形態では、出力階調補正部１７は、領域分離信号に基づいてガンマ曲線の選択を行っているが、領域分離信号による選択を行わないで図５（ａ）のガンマ曲線のみを用いて出力階調補正を行うようにしても良い。
【００９１】
そして、中間調生成部１８は、出力階調補正部１７から出力されたＲ’Ｇ’Ｂ’の画像データに対して何も処理を行わず、当該画像データをそのまま後段の画像表示装置１０４へ引き渡す（スルーする）。これにより、画像表示装置１０４は、Ｒ’Ｇ’Ｂ’の画像データに基づいて、コピー対象となる画像のプレビューを表示できる。
【００９２】
なお、出力階調補正部１７において実行されている出力γ補正処理は、画質調整部１１にて実行されてもよい。
【００９３】
（１−３）各ブロックの動作/非動作について
以上のように、フルカラーモードの印刷時では、画質調整部１１〜中間調生成部１８のうち、２色化処理部１２は動作しないが、それ以外のブロックは全て動作することになる（図１参照）。これに対し、フルカラーモードのプレビュー表示時では、画質調整部１１〜中間調生成部１８のうち、２色化処理部１２と黒生成／下色除去部１４と中間調生成部１８とは動作しないが、それ以外のブロックは全て動作することになる（図３参照）。
【００９４】
また、２色カラーモードの印刷時では、画質調整部１１〜中間調生成部１８のうち、色補正部１３は動作しないが、それ以外のブロックは全て動作することになる（図２（ｂ）参照）。これに対し、２色カラーモードのプレビュー表示時では、画質調整部１１〜中間調生成部１８のうち、黒生成／下色除去部１４と中間調生成部１８とが動作しないが、それ以外のブロックは全て動作することになる（図４（ｂ）参照）。
【００９５】
さらに、シングルカラーモードの印刷時では、画質調整部１１〜中間調生成部１８のうち、２色化処理部１２と色補正部１３と黒生成／下色除去部１４とが動作しないが、それ以外のブロックは全て動作することになる（図２（ａ）参照）。これに対し、シングルカラーモードのプレビュー表示時では、画質調整部１１〜中間調生成部１８のうち、２色化処理部１２と黒生成／下色除去部１４と中間調生成部１８とが動作しないが、それ以外のブロックは全て動作することになる（図４（ａ）参照）。
【００９６】
（１−４）処理手順について
つぎに、コピアモード且つフルカラーモードが選択されている場合の処理手順の一例を図６に基づいて説明する。図６は、コピアモード且つフルカラーモードが選択されている場合の画像形成装置の処理手順の一例を示したフローチャートである。
【００９７】
画像形成装置１００は、コピアモードが選択され、スタートキーが押されると（Ｓ１にてＹＥＳ）、原稿をスキャンすることによって（Ｓ２）、ＲＧＢのアナログ信号を生成する。なお、Ｓ１のスタートキーを押す前において、利用者は、プレビュー表示の要否を示す設定情報を入力することにより、画像形成装置１００に対してプレビュー表示の有無を設定しているものとする。
【００９８】
Ｓ２の後、画像形成装置１００は、ＲＧＢのアナログ信号をＲＧＢの画像データ（デジタルデータ）に変換し（Ｓ３）、上記画像データに対してシェーディング補正を施し（Ｓ４）、シェーディング補正後のＲＧＢの画像データに対して入力γ補正処理を施す（Ｓ５）。Ｓ５の後、画像形成装置１００は、ＲＧＢの画像データに基づいて原稿種別判定処理および領域分離処理を行い（Ｓ６）、さらに、ＲＧＢの画像データを記憶装置１０７に保存する（Ｓ７）。
【００９９】
Ｓ７の後、画像形成装置１００は、「プレビュー表示有」が設定されているか否かを判定し（Ｓ８）、「プレビュー表示有り」が設定されていない場合はＳ９〜Ｓ１６を実行し、「プレビュー表示有」が設定されている場合はＳ１７〜Ｓ２３を実行することになる。以下では、まずＳ９〜Ｓ１６について説明し、その後、Ｓ１７〜Ｓ２３について説明する。
【０１００】
「プレビュー表示有」が設定されていない場合（Ｓ８においてＮＯ）、画像形成装置１００は、ＲＧＢの画像データを記憶装置１０７から読み出し、下地除去補正や鮮やかさの調整等の画質調整処理を行う（Ｓ９）。その後、画像形成装置１００は、スキャナの特性に応じたＲＧＢの画像データを、プリンタの特性に応じたＣＭＹの画像データに変換し（Ｓ１０）、さらに、ＣＭＹの画像データをＣＭＹＫの画像データに変換する（Ｓ１１）。その後、画像形成装置１００は、領域分離処理の結果を基にＣＭＹＫの画像データに対して空間フィルタ処理を行い（Ｓ１２）、空間フィルタ処理後のＣＭＹＫの画像データに対して変倍処理を施す（Ｓ１３）。Ｓ１３の後、画像形成装置１００は、ＣＭＹＫの画像データに対して出力γ補正処理および階調再現処理を行い（Ｓ１４，Ｓ１５）、当該画像データの画像を用紙に印刷し（Ｓ１６）、処理を終了する。
【０１０１】
Ｓ８において「プレビュー表示有」が設定されていると判定された場合（Ｓ８においてＹＥＳ）、画像形成装置１００は、ＲＧＢの画像データを記憶装置１０７から読み出し、Ｓ９の画質調整処理と同じ画質調整処理を行う（Ｓ１７）。その後、画像形成装置１００は、スキャナの特性に応じたＲＧＢの画像データを、表示装置の特性に応じたＲ’Ｇ’Ｂ’の画像データに変換する（Ｓ１８）。Ｓ１８の後、画像形成装置１００は、領域分離処理の結果を基にＲ’Ｇ’Ｂ’の画像データに対して空間フィルタ処理を行い（Ｓ１９）、Ｒ’Ｇ’Ｂ’の画像データがディスプレイの解像度およびサイズに適合するものになるように当該Ｒ’Ｇ’Ｂ’の画像データに対して間引き処理を行う（Ｓ２０）。Ｓ２０の後、画像形成装置１００は、領域分離処理の結果を基に、Ｒ’Ｇ’Ｂ’の画像データに対して出力γ補正処理を行う（Ｓ２１）。Ｓ２１の後、画像形成装置１００は、Ｒ’Ｇ’Ｂ’の画像データに基づいてプレビュー表示を行う（Ｓ２２）。そして、Ｓ２２の後、プリント許可を示すコマンドが利用者から入力されると（Ｓ２３にてＹＥＳ）、画像形成装置１００は、記憶装置１０７に記憶されているＲＧＢの画像データを再度読み出し、この画像データに基づいてＳ９〜Ｓ１６の処理を実行して印刷を行う。これに対し、Ｓ２２の後、プリント取消を示すコマンドが利用者から入力されると（Ｓ２３にてＮＯ）、画像形成装置１００は処理を終了する。
【０１０２】
（２）ファクシミリ送信モード
（２−１）送信処理時（画像送信ジョブ時）
図７は、図１の画像形成装置１００と同じ画像形成装置１００を示すブロック図であり、ファクシミリ送信モードにて送信処理を行う際の画像データの流れを示した図である。なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理については、コピアモードの場合と同じであるため、以下ではその説明を省略する。
【０１０３】
領域分離信号復号部１０は、ファクシミリ送信モードでは、記憶装置１０７から領域分離信号コードを読み出して復号化し、復号化した領域分離信号を空間フィルタ部１５へ送信する。
【０１０４】
画質調整部１１は、復号部９から出力されたＲＧＢの画像データをＫの画像データ（グレーの濃淡を示す値）に変換する。なお、この変換は、所定のマトリクス係数や下記の式２を用いることによって行われる。
輝度値（Ｋの画像データの値）＝０．２９９ｒ＋０．５８７ｇ＋０．１１４ｂ    式２
ｒは赤の画像データの値（濃度値）であり、ｇは緑の画像データの値であり、ｂは青の画像データの値である。
【０１０５】
２色化処理部１２、色補正部１３、黒生成／下色除去部１４は、画質調整部１１から出力されたＫの画像データ（信号）に対して何も処理を行わず、このＫの画像データをそのまま後段の空間フィルタ部１５へ引き渡す（スルーする）。
【０１０６】
空間フィルタ部１５は、Ｋの画像データに対して、領域分離信号を基にデジタルフィルタによる空間フィルタ処理（強調処理，平滑化処理等）を行っている。変倍部１６は、送信解像度に応じてＫの画像データに対して変倍処理を行う。出力階調補正部１７は、変倍部１６から出力されたＫの画像データに対して出力γ補正処理（用紙等の記録媒体に出力するためのγ補正）を行う。中間調生成部１８は、例えば誤差拡散法によって、Ｋの画像データを２値化画像データに変換する。そして、２値化画像データは、不図示の回転処理部によって必要に応じて回転処理がなされ、不図示の圧縮／伸張処理部によって所定の形式で圧縮されて、不図示のメモリに格納される。
【０１０７】
その後、送信装置（例えば、モデム）１０６は、相手先との送信手続きを行い送信可能な状態を確保すると、上記メモリに格納されている２値化画像データを所定の形式で圧縮された状態で読み出し、圧縮形式の変更など必要な処理を施し、通信回線を介して当該２値化画像データを相手先に順次送信する。
【０１０８】
（２−２）プレビュー表示時
図８は、図１の画像形成装置１００と同じ画像形成装置１００を示すブロック図であり、ファクシミリ送信モードにてプレビュー表示処理を行う際の画像データの流れを示した図である。なお、ファクシミリ送信モードにおけるプレビュー表示とは、ファクシミリ送信前において当該ファクシミリ送信する画像のプレビュー表示を行う処理を意味する。
【０１０９】
プレビュー表示時において、Ａ／Ｄ変換部２、シェーディング補正部３、入力処理部４、原稿種別自動判別部５、領域分離処理部６、圧縮部７、領域分離信号圧縮部８、復号部９、領域分離信号復号部１０、画質調整部１１、空間フィルタ部１５の処理は、ファクシミリの送信処理時と同じであるため、その説明を省略する。また、２色化処理部１２、色補正部１３、黒生成／下色除去部１４での処理は、ファクシミリの送信処理時と同じように、スルーされる。
【０１１０】
但し、プレビュー表示時においては、送信処理時と異なり、図８に示すように、画質調整部１１から画像表示装置１０４に渡って各画素においてＫの画像データを３つ送信するようにしている（全て同一値）。これは、フルカラー仕様である画像表示装置１０４が１画素に対して３つの値（画像データ）を必要とするからである。
【０１１１】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【０１１２】
出力階調補正部１７は、変倍部１６から出力されたＫの画像データに対して、画像表示装置１０４の表示特性に応じたγ補正を行う。そして、中間調生成部１８は、出力階調補正部１７から出力されたＫの画像データに対して何も処理を行わず、当該Ｋの画像データをそのまま後段の画像表示装置１０４へ引き渡す（スルーする）。これにより、画像表示装置１０４は、Ｋの画像データに基づいて、ファックス送信の対象となる画像のプレビューを表示できる。
【０１１３】
また、ファクシミリ送信モードのプレビュー表示処理時では、画質調整部１１において、ＲＧＢの画像データが３つのＫの画像データに変換される形態となっている。しかし、このような形態に限定されるものではなく、例えば、出力階調補正部１７まではＲＧＢの画像データをＫの画像データに変換することなく画像処理を行い、出力階調補正部１７から出力されたＲＧＢの画像データをブラウザによってＫの画像データに変換するような形態であってもよい。
【０１１４】
（２−３）各ブロックの動作/非動作について
以上のように、ファクシミリ送信モードの送信処理時では、画質調整部１１〜中間調生成部１８のうち、２色化処理部１２、色補正部１３、黒生成／下色除去部１４は動作しないが、それ以外のブロックは全て動作することになる（図７参照）。これに対し、ファクシミリ送信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図８参照）。
【０１１５】
（２−４）処理手順
つぎに、ファクシミリ送信モードにおける処理手順の一例を説明する。画像形成装置１００において「プレビュー表示有り」の設定がされていない状態で、利用者によってファックス送信コマンドが入力された場合、図７に示されるように画像データが処理され、当該画像データが外部装置へ送信されることになる。
【０１１６】
これに対し、画像形成装置１００において「プレビュー表示有り」の設定がされている状態で、利用者によってファックス送信コマンドが入力された場合、図８に示されるように画像データが処理されることによって、当該画像データが記憶装置１０７に保存され、且つ、当該画像データの画像のプレビューが画像表示装置１０４に表示される。そして、プレビューが表示されている状態において送信許可を示すコマンドが利用者から入力されると、記憶装置１０７の画像データが読み出され、読み出された画像データは図７に示されるように復号部９〜中間調生成部１８によって処理され、送信装置１０６によって外部装置に送信される。
【０１１７】
（３）ファクシミリ受信モード
（３−１）印刷処理時（画像印刷ジョブ時）
図９は、図１の画像形成装置１００と同じ画像形成装置１００を示すブロック図であり、ファクシミリ受信モードにて印刷処理を行う際の画像データの流れを示した図である。
【０１１８】
ファクシミリを受信する場合、受信装置１０５が、通信手続きを行いながら相手先から送信されてくるＫの画像データ（１ビット）を受信する。そして、受信装置１０５にて受信されたＫの画像データは、圧縮/伸張処理部（不図示）にて伸張処理が施され、回転処理部（不図示）にて必要に応じて回転処理が施され、解像度変換部（不図示）にて必要に応じて解像度変換処理が行なわれる。その後、当該画像データは、一旦、記憶装置１０７に保存される。
【０１１９】
さらに、記憶装置１０７に書き込まれた画像データは、制御部１０８によって画像処理装置１０２の復号部９に引き渡される。復号部９、画質調整部１１、２色化処理部１２、色補正部１３、黒生成／下色除去部１４、空間フィルタ部１５、変倍部１６、出力階調補正部１７および中間調生成部１８は、記憶装置１０７から送られてきた画像データに対して何も処理を行わず、当該画像データをそのまま後段の画像出力装置１０３へ引き渡す（スルーする）。画像出力装置１０３は、中間調生成部１８より送られてきたＫの画像データに基づいて記録媒体（例えば紙等）上に画像を形成する。なお、ファクシミリ受信モードにて印刷処理を行う場合、上記のように画像処理を行わないので、記憶装置１０７に格納されている画像データを直接画像出力装置１０３に出力するようにしても良い。
【０１２０】
（３−２）プレビュー表示時
図１０は、図１の画像形成装置１００と同じ画像形成装置１００を示すブロック図であり、ファクシミリ受信モードにてプレビュー表示処理を行う際の画像データの流れを示した図である。なお、ファクシミリ受信モードにおけるプレビュー表示とは、ファクシミリにて画像データを受信した場合、当該画像データの画像を印刷する前に印刷される画像のプレビュー表示を行う処理を意味する。
【０１２１】
ファクシミリ受信モードにおけるプレビュー表示時においても、ファクシミリ受信モードにおける印刷処理時と同様、記憶装置１０７に書き込まれた画像データは、制御部１０８によって画像処理装置１０２の復号部９に引き渡される。復号部９は、記憶装置１０７から送られてきた画像データに対して何も処理を行わず、不図示のビット数変換処理部に当該画像データを引き渡す（スルーする）。そして、ビット数変換処理部は、復号部９から受け取った画像データのビット数を変換し（例えば１ビットから８ビットへ変換）、ビット数変換された画像データを後段の画質調整部１１へ引き渡す。つまり、図示はしていないものの、図１０において復号部９と画質調整部１１との間にビット数変換処理部が備えられていることになる。
【０１２２】
画質調整部１１は、図１０に示すように、画素毎に、１つのＫの画像データを入力すると、このＫの画像データを３つ生成して出力している（全て同一値）。これは、フルカラー仕様である画像表示装置１０４が１画素に対して３つの値を必要とするからである。
【０１２３】
その後、２色化処理部１２、色補正部１３、黒生成／下色除去部１４は、画質調整部１１から送られてきたＫの画像データに対して何も処理を行わず、当該画像データをそのまま後段の空間フィルタ部１５へ引き渡す（スルーする）。空間フィルタ部１５は、Ｋの画像データに対してデジタルフィルタを用いてぼかし処理等を行う。
【０１２４】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置１００に備えられる操作パネル（不図示）より入力される変倍コマンド（表示倍率を示す情報、例えば２〜４倍等の固定倍率）に基づいて画像の拡大や縮小処理がなされる。
【０１２５】
出力階調補正部１７は、変倍部１６から出力されたＫの画像データに対して、画像表示装置１０４の表示特性に応じた出力γ補正処理を行う。そして、中間調生成部１８は、出力階調補正部１７から出力されたＫの画像データに対して何も処理を行わず、当該画像データをそのまま後段の画像表示装置１０４へ引き渡す（スルーする）。これにより、画像表示装置１０４は、Ｋの画像データに基づいて、ファックス受信された画像のプレビューを表示できる。
【０１２６】
（３−３）各ブロックの動作/非動作について
以上のように、ファクシミリ受信モードの印刷処理時では、画質調整部１１〜中間調生成部１８は動作しない（図９参照）。これに対し、ファクシミリ受信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図１０参照）。
【０１２７】
（３−４）処理手順
つぎに、ファクシミリ受信モードの処理手順の一例を説明する。画像形成装置１００においてファクシミリによって画像データが受信された場合、受信された画像データは一旦記憶装置１０７に書き込まれる。ここで、画像データが記憶装置１０７に書き込まれてから画像の印刷が行われるまでにはタイムラグがあるが、このタイムラグ中に利用者から「プレビューコマンド」が入力された場合、上記画像データは図１０に示されるような流れで処理され、当該画像データの画像のプレビューが画像表示装置１０４に表示される。また、画像の印刷が行われる際は、図９に示されるような流れで処理され、当該画像データの画像が画像出力装置１０３にて印刷されることになる。
【０１２８】
（４）イメージ送信モード
（４−１）送信処理時（画像送信ジョブ時）
イメージ送信モードの送信処理時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理内容は、コピアモードの場合と同じである。なお、領域分離信号復号部１０は空間フィルタ部１５および出力階調補正部１７に対して領域分離信号を供給している。
【０１２９】
そして、画質調整部１１にて下色除去やカラーバランス調整が行われ、色補正部１３において、一般に普及している表示装置の表示特性に適合したＲ”Ｇ”Ｂ”の画像データ（例えば、ｓＲＧＢデータ）に変換され、空間フィルタ部１５にて領域分離信号を基にデジタルフィルタによる空間フィルタ処理（強調処理，平滑化処理）が行われている。変倍部１６にて画像の拡大や縮小処理が行われる。また、出力階調補正部１７では、例えば、文字領域に対しては図５（ｂ）のガンマ曲線を用いた補正が行われ、文字以外の領域に対しては図５（ａ）のガンマ曲線を用いた補正が行われる。なお、２色化処理部１２、黒生成／下色除去部１４は、入力される画像データに対して処理を行わず、この画像データをそのまま後段のブロックにスルーする。したがって、出力階調補正部１７から出力されるのはＲ”Ｇ”Ｂ”の画像データである。
【０１３０】
さらに、出力階調補正部１７から出力されるＲ”Ｇ”Ｂ”の画像データは、図示しないフォーマット変換処理部にてＰＤＦファイル等の画像ファイルに変換される。そして、イメージ送信モードのscan to e-mailモードにおいて、当該画像ファイルは図示しないメール処理部（ジョブ装置）にて電子メールに添付され、当該電子メールがネットワークを介して相手先に送信されることになる。また、イメージ送信モードのscan to ftpモードにおいて当該画像ファイルは所定のフォルダに送信され、イメージ送信モードのscan to usbモードにおいて当該画像ファイルは所定のＵＳＢメモリに送信される。
【０１３１】
（４−２）プレビュー表示時
イメージ送信モードのプレビュー表示時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２の処理内容は、イメージ送信モードの送信時と共通である。
【０１３２】
そして、イメージ送信モードのプレビュー表示時において、色補正部１３は、ＲＧＢの画像データを画像表示装置１０４の色空間に適合するＲ’Ｇ’Ｂ’の画像データへ変換する処理を行う。
【０１３３】
その後、送信時と同様、空間フィルタ部１５にて領域分離信号を基にデジタルフィルタによる空間フィルタ処理（強調処理，平滑化処理）が行われている。変倍部１６にて画像表示装置１０４のサイズに適合するように間引き処理が行われる。また、出力階調補正部１７では、例えば、文字領域に対しては図５（ｂ）のガンマ曲線を用いた補正が行われ、文字以外の領域に対しては図５（ａ）のガンマ曲線を用いた補正が行われる。
【０１３４】
そして、出力階調補正部１７から出力されるＲ’Ｇ’Ｂ’の画像データは画像表示装置１０４に供給され、画像表示装置１０４はＲ’Ｇ’Ｂ’の画像データに基づいてプレビュー表示を行う。
【０１３５】
（５）変形例
図１に示した画像形成装置１００では、圧縮画像データ（符号化コード）と領域分離信号コードとを対応付けて記憶装置１０７に格納している。しかし、図１１に示す画像形成装置１００ａのように、画像入力装置１０１にて画像データを読み取った後、領域分離処理および原稿種別判別処理を行う前に、読み取った画像データを符号化して一旦記憶装置１０７に格納しておき、記憶装置１０７から読み出して復号化した画像データについて原稿種別判別処理や領域分離処理を施すように構成しても良い。
【０１３６】
また、図１に示した画像形成装置１００は、コピアモード・プリントモード・ファクシミリ送信モード・ファクシミリ受信モード・イメージ送信モード等のジョブの選択中に画像ファイリングモード（画像ファイリングジョブ）を実行可能としてもよい。この画像ファイリングモードとは、コピアモード等のジョブの選択中において、画像入力装置１０１にて得られた画像データまたは外部から受信した画像データに基づいて画像ファイル（ＪＰＥＧ、ＴＩＦＦファイル等）を作成し、この画像ファイルを記憶装置１０７に保存するモードである。
【０１３７】
ここで、画像ファイリングモードのファイリング時において、画像入力装置１０１にて得られた画像データまたは外部から受信した画像データは画像処理装置１０２にて画像ファイル（ＪＰＥＧ、ＴＩＦＦファイル等）に変換され、その後、不図示のファイリング処理部（ジョブ装置）に送られ、このファイリング処理部が上記画像ファイルを記憶装置１０７に保存されるようになっている。
【０１３８】
また、各ジョブ（コピアモード・プリントモード・ファクシミリ送信モード等）の選択中においてプレビューを行う場合、画像ファイリングモードの実行の有無に拘わらず、画像入力装置１０１にて得られた画像データまたは外部から受信した画像データは画像処理装置１０２にて処理され、その後、画像表示装置１０４に送られるようになっている。さらに、各ジョブの選択中においてプレビューを行う場合、画像ファイリングモードの実行の有無に拘わらず、画像処理装置１０２にて実行される画像処理の内容は同一である。例えば、コピアモードのプレビュー表示時、画像ファイリングモードの実行の有無に関係なく、画像処理装置１０２の処理内容は図３に示すものとなる。また、ファクシミリ送信モードのプレビュー表示時、画像ファイリングモードの実行の有無に関係なく、画像処理装置１０２の処理内容は図８に示すものとなる。
【０１３９】
（６）本実施形態の画像処理装置の利点について
本実施の形態の画像処理装置１０２は、印刷ジョブ(コピアモード、プリントモード)を行う画像出力装置（ジョブ装置，印刷装置）１０３に対して画像データを供給し、上記印刷ジョブの実行前に画像表示装置１０４にプレビューを表示させるために、上記画像データを画像表示装置１０４に供給するものである。
【０１４０】
そして、画像処理装置１０２は、画像出力装置１０３に供給される画像データに対して実行される第１画像処理と、画像表示装置１０４に供給される画像データに対して実行され且つ第１画像処理とは異なる第２画像処理とを、両画像処理に共通の回路領域を用いて実行する第１画像処理部を含んでいる。ここで、第１画像処理部の一例としては、コピアモード且つフルカラーモードにおける色補正部１３が挙げられる。この色補正部１３においては、ＲＧＢからＣＭＹへの変換処理（第１画像処理）と、ＲＧＢからＲ’Ｇ’Ｂ’への変換処理（第２画像処理）とを共通の回路領域にて行っているからである。
【０１４１】
これにより、印刷処理等用の画像処理のみならず、印刷処理前のプレビュー用の画像処理を行う画像処理装置であっても、画像処理回路の回路規模を抑制できるという効果を奏する。
【０１４２】
また、本実施形態では、コピアモード且つフルカラーモードの印刷時、色補正部１３は、スキャナにて読み取られ且つスキャナの特性に応じた加法混色用の画像データ（ＲＧＢ）を、画像出力装置１０３の特性に応じた減法混色用の画像データ（ＣＭＹ）に変換する処理を行っている。これに対し、コピアモード且つフルカラーモードのプレビュー時、色補正部１３は、スキャナにて読み取られ且つスキャナの特性に応じた加法混色用の画像データ（ＲＧＢ）を、画像表示装置１０４の特性に応じた加法混色用の画像データ（Ｒ’Ｇ’Ｂ’）に変換する処理を行っている。つまり、プレビュー表示時、スキャナの特性に応じた加法混色用の画像データを画像表示装置１０４の特性に応じた加法混色用の画像データに直接変換している。したがって、本実施形態の画像処理装置１０２によれば、コピアモード且つフルカラーモードのプレビュー表示時、ＲＧＢの画像データからＲ’Ｇ’Ｂ’の画像データへの１回の非線形変換を行っているものの、特開平９−１３５３１６号公報の構成のように複数回の非線形変換を行うことがないため、変換誤差の蓄積を抑制でき、色再現性の低下を抑制できる。なお、特開平９−１３５３１６号公報では、ＲＧＢのデータからＣＭＹのデータへの変換、ＣＭＹのデータからＣＭＹＫのデータへの変換、ＣＭＹＫのデータからＣＭＹのデータへの変換、ＣＭＹのデータからＲＧＢのデータへ変換の計４回の変換が行われているため、変換誤差が蓄積され、色再現性が低下してしまう。
【０１４３】
また、本実施形態では、コピアモード且つシングルカラーモードのプレビュー時、または、コピアモード且つ２色カラーモードのプレビュー時、上記非線形変換を行っているものの、非線形変換の回数は２回のみであるため、計４回の非線形変換を行っている特開平９−１３５３１６号公報の構成よりも色再現性の低下を抑制できる。
【０１４４】
さらに、本実施形態では、コピアモード且つフルカラーモードの印刷時、黒生成／下色除去部１４においては、ＣＭＹの画像データをＣＭＹＫの画像データに変換する処理が行われる一方、コピアモード且つフルカラーモードのプレビュー表示時、黒生成／下色除去部１４においては、Ｒ’Ｇ’Ｂ’に対して処理を施さずにそのまま出力している。これにより、ＣＭＹからＣＭＹＫに変換する処理（黒生成／下色除去処理）を行う必要がある印刷用の画像データと、黒生成／下色除去処理を行う必要の無いプレビュー用の画像データとについて、画像処理回路内での画像データの経路を共通にでき、回路構成を簡略化できる。
【０１４５】
なお、本実施形態の画像処理装置１０２においては、原稿種別自動判別部５の判別結果に基づく画像処理,領域分離処理部６の処理結果に基づく画像処理,下地除去処理を行うことが可能であり、これら処理の効果は画像表示装置１０４に表示されるプレビュー画像にも反映される。
【０１４６】
〔実施の形態２〕
本実施形態では、シングルカラーや２色カラーで印刷する際、プレビュー表示する画像の色と実際に印刷される画像の色との差を小さくする処理を行う。その処理について以下に詳細に説明する。本実施形態の画像処理装置の構成は、実施の形態１の画像処理装置１０２の構成と同様である。
【０１４７】
（１）印刷処理時
（１−１）シングルカラーモード
シングルカラーモードが選択されている場合、実施の形態１と同様に、画像データは、画質調整部１１にて、上記式１を用いてシングルカラーの画像データ（単色画像データ）に変換される。なお、画質調整部１１にて鮮やかさの調整を行う際には、以下の式２を用いる。パラメータｒ１’〜ｒ３’、ａ１１〜ａ３３はシングルカラーに変換する場合とは別のものが用いられ、これらパラメータを変更することで、鮮やかさの調整を行う。
【０１４８】
【数２】
2010056798.tif 000005
【０１４９】
よって、鮮やかさの調整と、シングルカラーの画像データの変換処理（ＲＧＢからＣＭＹへの変換）とは、画像処理回路を共用できる。このように、画像処理装置１０２では、鮮やかさの調整とシングルカラーモードにおける画像データの変換処理とが、同じ処理部（画質調整部１１）で行われる。
【０１５０】
シングルカラーに変換された画像データは、色補正部１３、黒生成／下色除去部１４では処理を行わず、その後の各処理部により処理が行われ、画像出力装置１０３にて印刷出力される。
【０１５１】
（１−２）２色カラーモード
２色カラーモードが選択されている場合、実施の形態１と同様に、画像データは、２色化処理部１２にて２色カラーの画像データ（２色画像データ）に変換される。この２色化処理部１２での詳細な処理について、説明する。以下では、画像処理装置１０２に入力される画像データ（入力画像データ）は、ＲＧＢで８ビット（０〜２５５）、画像処理装置１０２から出力される出力画像データはＣＭＹＫで８ビット（０〜２５５）の場合で、入力画像データ（ＲＧＢ）における赤（Ｒ）成分を抽出し、赤（Ｒ）および黒（Ｋ）だけで印刷する場合について説明する。
【０１５２】
２色化処理部１２は、図１２に示すように、Ｒ、Ｇ、Ｂをそれぞれ変換するための１次元ルックアップテーブル（１Ｄ−ＬＵＴ）１２１Ｒ・１２１Ｇ・１２１Ｂ、データ変換部１２２、および色変換演算部１２３を備えている。
【０１５３】
図１２に示すように、まず、ＲＧＢの画像データ（ＲＧＢデータ）は、それぞれ、１Ｄ−ＬＵＴ１２１Ｒ・１２１Ｇ・１２１Ｂにより、１次元のＬＵＴを用いて、Ｒ１Ｇ１Ｂ１の画像データ（Ｒ１Ｇ１Ｂ１データ）に変換される。次いで、Ｒ１Ｇ１Ｂ１データは、データ変換部１２２に入力される。このデータ変換部１２２の処理を、図１３に示すフローチャートを用いて説明する。
【０１５４】
まず、データ変換部１２２にＲ１Ｇ１Ｂ１データが入力されると（Ｓ３１）、入力されたＲ１Ｇ１Ｂ１データのうち赤成分であるＲ１データはそのままＲ２データとし、Ｇ１データ（緑成分）とＢ１データ（青成分）とで平均を取る処理を行う（Ｓ３２）。
【０１５５】
ここで、図１４（ｃ）はＣＭＹの色空間（入力画像データはＲＧＢデータであるが、ＣＭＹを１次色としているので、第１の表色系の色空間はＣＭＹ空間となる）を表しているが、上記Ｓ３２により、図１４（ｃ）における面ＲＹＷＭを上にして見た図１４（ａ）のように、すべてのＲ１Ｇ１Ｂ１データは平面ＫＲＷＣ上に写像される。これはすべてのＲ１Ｇ１Ｂ１データが無彩色軸（Ｋ−Ｗ）を挟んで、ＲとＣとの色相に写像したことになる。
【０１５６】
次に、図１４に戻り、Ｒ２データと平均されたＧ２（もしくはＢ２）データとの大小を比較し、Ｒ−Ｋ再現領域の判定を行う（Ｓ３３）。Ｓ３３でのＲ−Ｋ再現領域の判定は、次の（１）、（２）のように行われる。
（１）Ｇ２データがＲ２データより大きい場合には、点（Ｒ２，Ｇ２，Ｂ２）は三角平面ＫＲＷ領域外にあると判定する。
（２）Ｇ２データがＲ２データ以下である場合には、点（Ｒ２，Ｇ２，Ｂ２）は三角平面ＫＲＷ領域内にあると判定する。この三角平面ＫＲＷは、無彩色軸と、該無彩色軸上以外のＣＭＹ色空間の頂点の１つであるＲの頂点とを結んで形成されるものである。
【０１５７】
図１４（ｃ）に示される平面ＫＲＷＣにおいて判定が上記（１）である場合には（Ｓ３３にてＹＥＳ）、図１３に示すフローにおいて、図１４（ｂ）に示すようにハッチングを施した領域外（三角平面ＫＲＷ領域外）の点である点（Ｒ２，Ｇ２，Ｂ２）をＲＷ（もしくはＫＣ）に平行に無彩色軸（Ｋ−Ｗ）上に写像する（Ｓ３４）。この場合、図１４（ｂ）の矢印が示す方向に写像する。すなわち、Ｇ２データとＢ２データとは、すべてＲ２データと同じになる。その後、Ｒ２Ｇ２Ｂ２データを出力する（Ｓ３５）。
【０１５８】
図１４（ｃ）の平面ＫＲＷＣにおいて判定が上記（２）である場合には（Ｓ３３にてＮＯ）、ハッチングを施した領域内（三角平面ＫＲＷ領域内）は既にＲとＫとで構成される領域内なので、図１３に示すフローにおいて、直接Ｓ３５へ進み、Ｒ２Ｇ２Ｂ２データをそのまま出力する。なお、Ｇ２データとＲ２データとが等しい場合は、上記のどちらの条件であっても、結果は同じであり、点（Ｒ２，Ｇ２，Ｂ２）は無彩色軸上にあるが、本実施形態では、上記（２）の判定に含ませてある。
【０１５９】
Ｒ２データとＧ２データ（もしくはＢ２データ）との大小関係から、平面ＫＲＷＣにおいて三角平面ＫＲＷ領域内外の判定ができる理由を、図１５を用いて説明する。図１５（ｃ）はＲＧＢ色空間の斜視図であり、図１５（ａ）は、図１５（ｃ）の平面ＫＲＹＧを示す図であり、図１５（ｂ）は、図１５（ｃ）の平面（断面）ＫＲＭＢを示す図である。
【０１６０】
まず、平面ＫＲＹＧに注目すると、ＲデータとＧデータとの大小により、図１５（ａ）のようにＲ＞Ｇの領域とＲ＜Ｇの領域とに分かれる。次に、平面ＫＲＭＢに注目すると、ＲデータとＢデータの大小により、図１５（ｂ）のようにＲ＞Ｂの領域とＲ＜Ｂの領域とに分かれる。よって、図１５（ｃ）の三角平面ＫＲＷ内の領域は、Ｒ＞ＧかつＲ＞Ｂであり、三角平面ＫＲＷ外（三角平面ＫＷＣ内）の領域は、Ｒ＜ＧかつＲ＜Ｂである。ここで、図１３に示すフローのＳ３２からわかるように、常にＧ２データとＢ２データとは同値であるため、Ｇ２データとＢ２データととのいずれか一方とＲ２データとを比較すれば、点（Ｒ２，Ｇ２，Ｂ２）が三角平面ＫＲＷ内にあるかどうかを判定することができる。
【０１６１】
最終的に、全てのＲ１Ｇ１Ｂ１データは、図１４（ｃ）のように三角平面ＫＲＷ上に写像される。これは入力画像データがハッチングを施した領域に写像されることで、全てのＲ１Ｇ１Ｂ１データは赤成分および黒成分だけのＲ２Ｇ２Ｂ２データになる。
【０１６２】
同様に、Ｒ１Ｇ１Ｂ１データを、緑成分および黒成分、または、青成分および黒成分だけのＲ２Ｇ２Ｂ２データにすることができる。
【０１６３】
図１２の色変換演算部１２３では以下の式のようにＲ２Ｇ２Ｂ２データをＣＭＹデータへ変換する。
【０１６４】
Ｃ＝２５５−Ｒ２
Ｍ＝２５５−Ｇ２
Ｙ＝２５５−Ｂ２
実施の形態１でも説明したように、シングルカラーモードで印刷処理する場合、色補正部１３では処理を行わない。黒生成／下色除去部１４ではＣＭＹの最小値を求め、以下のように、ＣＭＹから最小値を減算し、Ｋ信号として最小値を出力する。
【０１６５】
ＭＩＮ＝ＣＭＹの最小値
Ｃ’＝Ｃ−ＭＩＮ
Ｍ’＝Ｍ−ＭＩＮ
Ｙ’＝Ｙ−ＭＩＮ
Ｋ＝ＭＩＮ
さらに、黒生成／下色除去部１４以降の処理部により処理が行われ、画像出力装置１０３により印刷される。
【０１６６】
（２）プレビュー表示時（シングルカラーモード、２色カラーモード）
シングルカラーモードでは、画像データが画質調整部１１にてシングルカラーの画像データ（ＣＭＹ）に変換される処理は、印刷処理時と同様である。２色カラーモードでは、画像データが２色化処理部１２にて２色カラーの画像データ（ＣＭＹ）に変換される処理は、印刷処理時と同様である。
【０１６７】
図４（ａ）（ｂ）に示すように、シングルカラーモードあるいは２色カラーモードのプレビュー表示時には、シングルカラーの画像データあるいは２色カラーの画像データに変換された後、画像データは色補正部１３にて処理される。この処理について詳細に説明する。色補正部１３では入力信号（入力値）と出力信号（出力値）とを対応付けた色補正ＬＵＴを作成し、作成した色補正ＬＵＴを参照して出力信号を算出することで色補正処理を行う。この色補正ＬＵＴは、シングルカラーモードのプレビュー表示時、２色カラーモードのプレビュー表示時に、また、そのとき、どの色が選択されているかで、専用のものが選ばれる。
【０１６８】
印刷用の色補正ＬＵＴを作成するには、シャープ技法第７６号（２０００年４月）１５−１９ページに記載の「ニューラルネットワーク応用色補正システム」を利用することができる。入力モデルニューラルネットワークとしては、画像入力装置１０１の色空間であるＲＧＢ信号とＬ＊ａ＊ｂ＊(ＣＩＥＬＡＢ)値との対応関係を学習させたニューラルネットワークを使用する。出力モデルニューラルネットワークとしては、Ｌ＊ａ＊ｂ＊と画像出力装置１０３の色空間であるＣＭＹとの対応関係を学習させたニューラルネットワークを使用する。これらのモデルを結合することで、入力されたＲＧＢ信号を出力するＣＭＹ信号に変換する色補正ＬＵＴを作成する。
【０１６９】
プレビュー表示時には、シングルカラーモードでは画質調整部１１において、２色カラーモードでは２色化処理部１２において、ＣＭＹ信号が作られる。そのため、色補正部１３ではこのＣＭＹ信号を画像表示装置１０４での表示用のＲＧＢ（Ｒ’Ｇ’Ｂ’）信号へ変換する処理を行う。
【０１７０】
シングルカラーモードまたは２色カラーモードにおいて、プレビュー表示用の色補正ＬＵＴ作成のためには、上記した印刷用の色補正ＬＵＴの作成と同様の方法を用いることができる。入力モデルニューラルネットワークとしては、色補正部１３へ入力される信号がＣＭＹ信号であることから、図１６に示される画像出力装置１０３の色再現特性であるＣＭＹ信号とＬ＊ａ＊ｂ＊（ＣＩＥＬＡＢ）値の対応関係を学習させたニューラルネットワークを使用する。ここで、画像出力装置１０３の特性は、画像出力装置１０３よりパッチを出力して、パッチの測色を行い、ＣＭＹ信号とＣＩＥ１９７６Ｌ＊ａ＊ｂ＊信号との関係から求め、ニューラルネットワークに学習させておく。出力モデルニューラルネットワークとしては、図１７に示されるプレビュー画像を表示する画像表示装置１０４の色再現特性であるＬ＊ａ＊ｂ＊とＲＧＢとの対応関係を学習させたニューラルネットワークを使用する。また、画像表示装置１０４の特性は、画像表示装置１０４に種々の色を表示して測色を行い、ＲＧＢ信号とＣＩＥ１９７６Ｌ＊ａ＊ｂ＊信号との関係から求め、ニューラルネットワークに学習させておく。これらのモデルを結合することで、プレビュー表示用の色補正ＬＵＴを作成することができる。このプレビュー表示用の色補正ＬＵＴを用いることで、ＣＭＹ信号とＲＧＢ信号との関係を求めることができる。つまり、この色補正ＬＵＴから色補正部１３へ入力されるＣＭＹ信号に対応する値を読み出すことで、ＣＭＹ信号を画像表示装置１０４での表示用のＲＧＢ（Ｒ’Ｇ’Ｂ’）信号へ変換することが可能となる。
【０１７１】
以上のように、シングルカラーモードあるいは２色カラーモードでのプレビュー表示時に、色補正部１３で色変換を行うことで、画像処理装置１０２は、プレビュー画像専用の処理回路を別途持たずに、シングルカラーモードでの印刷処理時あるいは２色カラーモードでの印刷処理時に画像出力装置１０３から印刷出力される画像の色と一致した色の画像のプレビュー表示を実現することができる。
【０１７２】
なお、シングルカラーモードまたは２色カラーモードで、ファックス送信モード、イメージ送信モードを使用する際、プレビュー表示時には、上記色補正部での処理を適用することができる。
【０１７３】
本実施形態は、コンピュータに実行させるためのプログラムコード（実行形式プログラム、中間コードプログラム、ソースプログラム）を記録したコンピュータ読み取り可能な記録媒体に、上記したシングルカラーまたは２色カラーの画像をプレビュー表示する際、プレビュー表示される画像の色と実際に印刷される画像の色との差を小さくしてプレビューを行う画像処理方法を記録するものとすることもできる。この結果、上記画像処理方法を行うプログラムを記録した記録媒体を持ち運び自在に提供することができる。
【０１７４】
なお、本実施の形態では、この記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１７５】
いずれの場合においても、格納されているプログラムコードはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１７６】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であっても良い。
【０１７７】
また、本実施の形態においては、インターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムコードをダウンロードする場合には、そのダウンロード用のプログラムは予め本体装置に格納しておくか、あるいは別な記録媒体からインストールされるものであっても良い。なお、本発明は、上記プログラムコードが電子的な伝送で具現化された、搬送波に埋め込まれたコンピュータデータ信号の形態でも実現され得る。上記記録媒体は、デジタルカラー画像形成装置やコンピュータシステムに備えられるプログラム読み取り装置により読み取られることで上述した画像処理方法が実行される。
【０１７８】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１７９】
本発明の画像処理装置は、画像データを取り扱う装置に用いることができるが、複合機、複写機、プリンタ、ファクシミリ装置に特に好適である。
【図面の簡単な説明】
【０１８０】
【図１】本実施形態の画像形成装置を示したブロック図であり、コピアモード且つフルカラーモードにて印刷処理を行う際の画像データの流れを示したブロック図である。
【図２】（ａ）は、コピアモード且つシングルカラーモードにて印刷処理が行われる際の画像処理装置内の一部を示したブロック図であり、（ｂ）は、コピアモード且つ２色カラーモードにて印刷処理が行われる際の画像処理装置内の一部を示したブロック図である。
【図３】本実施形態の画像形成装置を示したブロック図であり、コピアモード且つフルカラーモードにてプレビュー表示処理を行う際の画像データの流れを示したブロック図である。
【図４】（ａ）は、コピアモード且つシングルカラーモードにてプレビュー表示が行われる際の画像処理装置内の一部を示したブロック図であり、（ｂ）は、コピアモード且つ２色カラーモードにてプレビュー表示が行われる際の画像処理装置内の一部を示したブロック図である。
【図５】（ａ）は、画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図６】コピアモード且つフルカラーモードが選択されている場合の画像形成装置の処理手順を示したフローチャートである。
【図７】本実施形態の画像形成装置を示したブロック図であり、ファクシミリ送信モードにて送信処理を行う際の画像データの流れを示した図である。
【図８】本実施形態の画像形成装置を示したブロック図であり、ファクシミリ送信モードにてプレビュー表示処理を行う際の画像データの流れを示した図である。
【図９】本実施形態の画像形成装置を示したブロック図であり、ファクシミリ受信モードにて印刷処理を行う際の画像データの流れを示した図である。
【図１０】本実施形態の画像形成装置を示したブロック図であり、ファクシミリ受信モードにてプレビュー表示処理を行う際の画像データの流れを示した図である。
【図１１】本実施形態の画像形成装置の変形例を示したブロック図である。
【図１２】本実施形態の画像形成装置における２色化処理部の詳細を示すブロック図である。
【図１３】上記２色化処理部のデータ変換部での処理のフローチャートを示す図である。
【図１４】（ａ）は、ＣＭＹの色空間における平面ＲＹＷＭを示す図であり、（ｂ）は、ＣＭＹの色空間における断面ＫＲＷＣを示す図であり、（ｃ）は、ＣＭＹの色空間をの斜視図である。
【図１５】（ａ）は、ＲＧＢの色空間における平面ＫＲＹＧを示す図であり、（ｂ）は、ＲＧＢの色空間における平面ＫＲＭＢを示す図であり、（ｃ）は、ＲＧＢの色空間をの斜視図である。
【図１６】入力モデルのニューラルネットワークを示す図である。
【図１７】出力モデルのニューラルネットワークを示す図である。
【符号の説明】
【０１８１】
６  領域分離処理部
１１  画質調整部（色変換部）
１２  ２色化処理部（色変換部）
１３  色補正部（色補正処理部）
１４  黒生成／下色除去部
１５  空間フィルタ部
１６  変倍部
１７  出力階調補正部
１８  中間調生成部
１００  画像形成装置
１０１  画像入力装置
１０２  画像処理装置（画像処理部）
１０３  画像出力装置
１０４  画像表示装置
１０５  受信装置
１０６  送信装置
１０７  記憶装置
１０８  制御部
【図１】
2010056798.tif 000006
【図２】
2010056798.tif 000007
【図３】
2010056798.tif 000008
【図４】
2010056798.tif 000009
【図５】
2010056798.tif 000010
【図６】
2010056798.tif 000011
【図７】
2010056798.tif 000012
【図８】
2010056798.tif 000013
【図９】
2010056798.tif 000014
【図１０】
2010056798.tif 000015
【図１１】
2010056798.tif 000016
【図１２】
2010056798.tif 000017
【図１３】
2010056798.tif 000018
【図１４】
2010056798.tif 000019
【図１５】
2010056798.tif 000020
【図１６】
2010056798.tif 000021
【図１７】
2010056798.tif 000022